(57)【要約】【課題】少ない緩衝部材で原稿押さえを軽快にかつ円滑に回動させることが可能な画像読取装置を提供する。【解決手段】画像読取装置１０は、原稿押さえ１４を有する。原稿押さえ１４は、ＡＤＦ１３の筐体３３に回動可能に支持されている。原稿押さえ１４は、扁平な板部材で構成されている。原稿押さえ１４は、屈曲部４０を有し、その屈曲部４０で左右方向８の所定位置（中央位置）で折り曲げることが可能である。原稿押さえ１４が装置本体１２に対して上方へ回動されると、原稿押さえ１４は山折りに折りたたまれて、ＡＤＦ１３の筐体３３に沿って起立するように収められる。【選択図】図３
2015159362.tif 000002
【特許請求の範囲】
【請求項１】
上面に原稿載置面を有する装置本体と、
前記装置本体の上面における一方の端部側に設けられた自動原稿送り装置と、
前記自動原稿送り装置の筐体に回動可能に支持され、前記原稿載置面を覆う閉位置と前記原稿載置面から離間して前記原稿載置面を露出する開位置との間で姿勢変化可能な原稿押さえと、
前記原稿押さえに設けられ、前記原稿押さえの回動軸から前記原稿押さえの回動端に至る所定位置で前記原稿押さえを屈曲可能にする屈曲部と、を備える画像読取装置。
【請求項２】
前記屈曲部は、前記回動軸に平行な屈曲軸を中心に前記屈曲軸よりも前記回動軸側の第１部位と、前記屈曲軸よりも前記回動端側の第２部位とを前記原稿載置面に対して山折りに屈曲する請求項１に記載の画像読取装置。
【請求項３】
前記自動原稿送り装置によって給送される原稿を保持する原稿保持部を更に備え、
前記原稿保持部は、前記原稿押さえの回動支点よりも上方の回動支点を中心に前記筐体に対して回動可能に支持されている請求項１又は２に記載の画像読取装置。
【請求項４】
前記原稿押さえに複数の前記屈曲部が設けられている請求項１から３のいずれかに記載の画像読取装置。
【請求項５】
前記自動原稿送り装置の筐体を前記原稿載置面に対して水平方向に沿って接離する接離方向へ移動可能に支持する移動支持部を更に備える請求項１から４のいずれかに記載の画像読取装置。
【請求項６】
前記移動支持部は、前記筐体を前記接離方向に移動可能に支持するとともに、前記接離方向に平行で且つ前記原稿押さえの回動軸に直交する方向を支点として前記筐体を回動可能に支持する請求項５に記載の画像読取装置。
【請求項７】
前記装置本体の上面における一方の端部に設けられ、前記自動原稿送り装置の前記筐体を前記装置本体に対して回動可能に支持する回動支持部を更に備える請求項１から４のいずれかに記載の画像読取装置。
【発明の詳細な説明】
【技術分野】
【０００１】
本発明は、自動原稿送り装置（ＡＤＦ）及び原稿カバーを備えた画像読取装置に関する。
【背景技術】
【０００２】
従来、原稿の画像情報を読み取る画像読取装置等の画像読取装置が知られている。画像読取装置には、コンタクトガラスなどの原稿載置台に載置された原稿を押さえるとともに、画像読取時に原稿に照射される光の漏れを防止するために、原稿押さえが設けられている。原稿押さえは、画像読取装置の筐体に回動可能に支持されており、原稿載置台上の載置面を覆う閉位置と前記載置面から離れて前記載置面を露出させる開位置との間で開閉可能に構成されている。
【０００３】
この種の画像読取装置として、原稿押さえに自動原稿送り装置（ＡＤＦ）が搭載されたものが知られている。自動原稿送り装置は、原稿トレイにセットされた原稿を一枚ずつ順番に読取位置へ給送する。画像読取装置は、前記読取位置の下方にＣＣＤなどの読取ユニットを待機させ、自動原稿送り装置によって給送された原稿を前記読取位置で読み取ることにより、移動中の原稿を読み取ることができる。従来、原稿押さえに対して自動原稿送り装置のフレームが回動可能に支持された画像形成装置（特許文献１参照）が知られている。
【先行技術文献】
【特許文献】
【０００４】
【特許文献１】特開２００５−２６９４４８号公報
【発明の概要】
【発明が解決しようとする課題】
【０００５】
従来の画像形成装置は、原稿押さえに自動原稿送り装置が搭載されているため、原稿押さえの重量が重く、原稿押さえの回動をスムーズに行うことができない。また、原稿押さえを開けるときに回動機構に大きな負担がかかり、回動機構を破損させるおそれがある。また、原稿押さえを閉じるときは、原稿載置台に勢いよく接触して、その接触時の衝撃により原稿載置台や原稿押さえが破損したり、原稿が破損するおそれがある。そのため、原稿押さえの開閉を円滑に行うために、原稿押さえの回動機構のダンパーやバネ部材などの緩衝部材を設け、原稿押さえの開閉時の負荷や衝撃を軽減することが考えられる。しかしながら、緩衝部材を設けることにより、回動機構の周辺の構成が複雑になる。また、緩衝部材の部品コストが必要となり、コストアップになる。
【０００６】
本発明は前記事情に鑑みてなされたものであり、その目的は、少ない緩衝部材で原稿押さえを軽快にかつ円滑に回動させることが可能な画像読取装置を提供することにある。
【課題を解決するための手段】
【０００７】
本発明の一の局面に係る画像読取装置は、装置本体と、自動原稿送り装置と、原稿押さえと、屈曲部と、を備える。前記装置本体は、その上面に原稿載置面を有する。前記自動原稿送り装置は、前記装置本体の上面における一方の端部側に設けられている。前記原稿押さえは、前記自動原稿送り装置の筐体に回動可能に支持され、前記原稿載置面を覆う閉位置と前記原稿載置面から離間して前記原稿載置面を露出する開位置との間で姿勢変化可能に構成されている。前記屈曲部は、前記原稿押さえに設けられ、前記原稿押さえの回動軸から前記原稿押さえの回動端に至る所定位置で前記原稿押さえを屈曲可能に構成されている。
【発明の効果】
【０００８】
本発明によれば、少ない緩衝部材で原稿押さえを軽快にかつ円滑に回動させることが可能になる。
【図面の簡単な説明】
【０００９】
【図１】図１は、本発明の第１実施形態に係る画像読取装置の構成を示す図である。
【図２】図２は、図１の画像読取装置の斜視図である。
【図３】図３は、図１の画像読取装置の正面図である。
【図４】図４は、本発明の第２実施形態に係る画像読取装置の構成を示す正面図である。
【図５】図５は、本発明の第３実施形態に係る画像読取装置の構成を示す斜視図である。
【図６】図６は、図５の画像読取装置における自動原稿送り装置の動きを説明する図である。
【図７】図７は、本発明の第４実施形態に係る画像読取装置の構成を示す側面図である。
【図８】図８は、本発明の第５実施形態に係る画像読取装置の構成を示す正面図である。
【発明を実施するための形態】
【００１０】
以下、添付図を参照しながら、本発明の実施形態について説明する。なお、以下の各実施形態は、本発明を具体化した一例であって、本発明の技術的範囲を限定するものではない。なお、以下の説明では、各実施形態の画像読取装置が平坦な支持面に設置された状態（例えば図１に示す状態）を基準として上下方向６を定義する。また、図１の紙面に対して手前側を画像読取装置の正面（前面）として前後方向７を定義する。また、画像読取装置を正面側から見て左右方向８を定義する。
【００１１】
［第１実施形態］
以下、図１乃至図３を参照して本発明の第１実施形態に係る画像読取装置１０について説明する。なお、本発明は、画像読取装置１０のみならず、複写機やプリンター、ファクシミリー、複合機などに一体に設けられた画像読取装置にも適用することができる。
【００１２】
図１に示されるように、画像読取装置１０は、装置本体１２と、自動原稿送り装置１３（以下「ＡＤＦ１３」と称する。）と、原稿押さえ１４と、を備えている。
【００１３】
装置本体１２は、画像読取装置１０のフレームを構成する筐体であり、幅方向に長い直方体形状に形成されている。装置本体１２の上面に、原稿が載置される原稿載置面としてのコンタクトガラス２１が設けられている。コンタクトガラス２１は、図１において右側に寄せて配置されており、コンタクトガラス２１の上面に読取対象である原稿が載置される。
【００１４】
装置本体１２の上面にＡＤＦ１３が設けられている。ＡＤＦ１３は、装置本体１２の上面において、コンタクトガラス２１の左端部から装置本体１２の左端部に至る領域に設けられている。言い換えると、ＡＤＦ１３は、装置本体１２の上面において、一方の端部である左端部側に設けられている。ＡＤＦ１３が設けられた装置本体１２の上面には、前後方向７へ延びる細幅のコンタクトガラス２２が設けられている。ＡＤＦ１３は、原稿が保持される原稿トレイ３２（原稿保持部の一例）を備える。原稿トレイ３２は、ＡＤＦ１３によって給送される原稿を保持するものである。原稿トレイ３２は、原稿押さえ１４の上方に設けられている。
【００１５】
図２は、画像読取装置１０の斜視図である。図２では、原稿押さえ１４の図示が省略されている。図２に示されるように、原稿トレイ３２は、原稿を保持する保持面であるトレイ部３２Ａと、トレイ部３２Ａの左端部から突出する一対のアーム部３２Ｂとを有する。アーム部３２Ａは、トレイ部３２Ａの左端部の両側部に設けられており、その突出端は筐体３３の前後方向７の両側面３３Ａに達している。アーム部３２Ｂの突出端には、内向きに突出する支軸３７（図３参照）が設けられており、この支軸３７が側面３３Ａに回動可能に支持されている。この支軸３７の支持点は、後述の原稿押さえ１４の回動軸３６よりも上方に位置している。これにより、原稿トレイ３２は、原稿押さえ１４の回動支点である回動軸３６よりも上方の回動支点を中心に筐体３３に対して回動可能である。本実施形態では、原稿トレイ３２は、不図示のストッパーによって、水平よりも少し傾斜した姿勢（図２に示される姿勢）で保持されており、この姿勢から上方へ回動可能に支持されている。
【００１６】
ＡＤＦ１３は、コンタクトガラス２２上の原稿読取位置２２Ａを図１における左右方向８の右向きへ通過するように、原稿を移動させる。具体的には、ＡＤＦ１３は、原稿トレイ３２にセットされた原稿を原稿送りモーター（不図示）で駆動される複数の搬送ローラ対１７により順次搬送して原稿読取位置２２Ａを通過させる。ＡＤＦ１３の内部には、原稿が搬送される湾曲形状の搬送路３８が形成されており、この搬送路３８に沿って複数の搬送ローラ対１７が配置されている。
【００１７】
ＡＤＦ１３の内部には、移動する原稿を押さえるガイド部材１５が設けられている。ガイド部材１５の下方に開口が形成されており、この開口からコンタクトガラス２２へ原稿が露出される。ガイド部材１５は、コンタクトガラス２２上の原稿読取位置２２Ａから上方へ所定の間隔を隔てた位置に設けられている。前記間隔は、原稿が通過できる程度である。
【００１８】
装置本体１２の内部には、光源ユニット１９が設けられている。光源ユニット１９は、アレイ基板２３やミラー２７などを備えている。アレイ基板２３には、ＡＤＦ１３によって搬送される原稿やコンタクトガラス２１上に載置された原稿を光で照射するための複数のＬＥＤ３１が実装されている。ミラー２７は、前記原稿から反射した反射光を後述のミラー２８，２９などに導く。アレイ基板２３は、図１において奥行き方向へ延出されており、その方向に沿って複数のＬＥＤ３１が配置されている。また、ミラー２７も図１において奥行き方向へ延出されている。光源ユニット１９は、モーター（不図示）によって左右方向８へ移動可能に構成されている。したがって、光源ユニット１９が移動すると、複数の前記ＬＥＤ３１やミラー２７も同方向へ移動する。
【００１９】
また、装置本体１２の内部には、撮像素子であるＣＣＤ２５と、光学レンズ２６と、ミラー２８，２９と、が設けられている。光学レンズ２６及びミラー２８，２９は、図１において奥行き方向へ延出されている。複数のＬＥＤ３１から照射されて原稿で反射された反射光は、適宜配置されたミラー２７〜２９によって光学レンズ２６に導かれる。光学レンズ２６は、入射した光を集光してＣＣＤ２５に入射させる。ＣＣＤ２５に光が入射すると、ＣＣＤ２５は受光した光の量（受光量）に応じたデジタル信号を生成し、この生成されたデジタル信号は原稿の画像データとして制御部（不図示）に入力される。本実施形態では、撮像素子としてＣＣＤ２５を用いた例について説明するが、密着型のイメージセンサー（ＣＩＳ: Contact Image Sensor）を用いた読取機構が用いられてもよい。
【００２０】
画像読取装置１０による原稿画像の読み取りは、以下の手順で行われる。まず、ＡＤＦ１３により原稿が原稿読取位置２２Ａを左右方向８の右向きへ搬送されるか、コンタクトガラス２１上に載置される。その後、前者の場合は、原稿読取位置２２Ａに光を照射することができる位置に光源ユニット１９が配置され、複数のＬＥＤ３１から搬送中の原稿へ向けて光が照射される。後者の場合は、光源ユニット１９及びミラー２８，２９を予め定められたホームポジションから左右方向８の右向きへ移動させつつ複数のＬＥＤ３１から原稿へ向けて光が照射される。そして、原稿からの反射光がミラー２７〜２９及び光学レンズ２６によりＣＣＤ２５に導かれ、ＣＣＤ２５にてデジタル信号が生成されて読み取られる。
【００２１】
画像読取の際にコンタクトガラス２１上に原稿が載置される場合、光の漏れを防止するために、コンタクトガラス２１は原稿押さえ１４によって覆われる。本実施形態では、原稿押さえ１４は、図１に示すように、ＡＤＦ１３の筐体３３に取り付けられている。つまり、原稿押さえ１４にＡＤＦ１３が搭載されていない。具体的には、原稿押さえ１４は、筐体３３に設けられた回動支持機構３４によって回動可能に支持されている。回動支持機構３４は、例えば、筐体３３に設けられた軸受け３５と、原稿押さえ１４に設けられた回動軸３６とにより構成される。軸受け３５は、筐体３３の右側面に設けられている。また、回動軸３６は、原稿押さえ１４の左端部に設けられている。なお、回動支持機構３４は、上述の支持機構に限られず、筐体３３に対して原稿押さえ１４が回動可能な機構であれば、如何なる支持機構であっても適用可能である。
【００２２】
原稿押さえ１４は、扁平な板部材で構成されている。上述したように、原稿押さえ１４にはＡＤＦ１３が搭載されていない。そのため、原稿押さえ１４は、重厚なフレームを備える必要がなく、軽量且つ薄い部材で構成することができる。原稿押さえ１４は、少なくともコンタクトガラス２１の全領域を覆い隠すことができるサイズに形成されている。本実施形態では、原稿押さえ１４が回動支持機構３４によって支持されることにより、コンタクトガラス２１を覆う閉位置とコンタクトガラス２１から上方へ離間してコンタクトガラス２１を露出する開位置との間で姿勢変化可能である。
【００２３】
本実施形態では、原稿押さえ１４は、左右方向８の所定位置で折り曲げることが可能なように構成されている。具体的には、原稿押さえ１４に屈曲部４０が設けられている。屈曲部４０は、原稿押さえ１４の回動軸３６から原稿押さえ１４の回動端１４Ａに至る範囲の中央位置（所定位置）に設けられており、前記中央位置で原稿押さえ１４を屈曲可能にする。
【００２４】
屈曲部４０は、回動軸３６に平行な屈曲軸４１を有している。原稿押さえ１４は、屈曲軸４１よりも回動軸３６側の第１部位４３と、屈曲軸４１よりも回動端１４Ａ側の第２部位４４とに分かれている。そして、第１部位４３の右端部が屈曲軸４１に回動可能に支持されており、第２部位４４の左端部が屈曲軸４１に回動可能に支持されている。これにより、屈曲部４０は、第１部位４３と第２部位４４とをコンタクトガラス２１に対して山折りに屈曲することができる。
【００２５】
また、原稿押さえ１４の裏面には、白色に着色されたシート状の弾性部材３９が設けられている。これにより、原稿押さえ１４が屈曲部４０で屈曲されて弾性部材３９に皺が付いても、原稿押さえ１４が展開されると元に復元される。また、弾性部材３９で原稿押さえ１４の裏面が覆われているため、屈曲部４０が読み取られることはない。
【００２６】
このように画像読取装置１０が構成されているため、図３に示されるように、原稿押さえ１４がコンタクトガラス２１を覆う閉位置にある状態（図３（Ａ）参照）から原稿押さえ１４が上方へ回動されると、屈曲部４０で原稿押さえ１４が山折りに屈曲される。そして、原稿押さえ１４が屈曲された状態で、原稿押さえ１４がＡＤＦ１３の筐体３３の右側面に沿って起立した姿勢でコンパクトに折りたたまれる（図３（Ｂ）参照）。これにより、コンタクトガラス２１が露出され、ユーザーは、原稿をコンタクトガラス２１上に載置することができる。なお、原稿押さえ１４が屈曲した状態で上方へ回動されると、原稿トレイ３２の裏面に屈曲部４０が当接することになるが、上述したように、原稿トレイ３２は回動可能に支持されているため、原稿押さえ１４の上方への回動とともに原稿トレイ３２も筐体３３側へ回動される。これにより、原稿押さえ１４と同じように原稿トレイ３２も筐体３３の右側面に沿って起立した姿勢でコンパクトに折りたたまれる。また、コンタクトガラス２１を覆う場合は、原稿押さえ１４の第２部位４４を右側へ引っ張り出すことにより、原稿押さえ１４が展開されつつ、コンタクトガラス２１の上面を覆うことなる。
【００２７】
また、上述したように、原稿押さえ１４にＡＤＦ１３が搭載されておらず、原稿押さえ１４が軽量且つ薄い部材で構成されているため、ユーザーは、原稿押さえ１４の開閉に際して、軽負荷で回動させることができ、軽快且つ円滑に原稿押さえ１４を回動させることができる。また、本実施形態の原稿押さえ１４であれば、軽量に構成することができるため、従来のようにダンパーやバネ部材などの緩衝部材を設ける必要がない。これにより、回動維持機構３４を簡易な構成にすることができ、また、部品数の減少により製品コストを抑えることができる。
【００２８】
［第２実施形態］
以下、図４を参照して、本発明の第２実施形態の画像読取装置１０１を説明する。なお、上述の第１実施形態と同じ構成については同符号を付し示すことによりその詳細な説明を省略する。
【００２９】
図４は、画像読取装置１０１の正面図であり、図４（Ａ）は原稿押さえ１４が閉位置にある状態を示している。なお、図４においては、原稿トレイ３２の図示を省略している。図４（Ａ）に示されるように、画像読取装置１０１の原稿押さえ１４は、２つの屈曲部４０（４０Ａ，４０Ｂ）を有する。屈曲部４０Ａ，４０Ｂは、原稿押さえ１４において左右方向８へ隔てた位置に設けられている。本実施形態では、屈曲部４０Ａは回転軸３６寄りに設けられ、屈曲部４０Ｂは回動端１４Ａ寄りに設けられている。屈曲部４０Ａ，４０Ｂを有することにより、原稿押さえ１４は、屈曲部４０Ａ，４０Ｂそれぞれにおいて屈曲可能である。
【００３０】
このように、原稿押さえ１４に屈曲部４０Ａ，４０Ｂが設けられているため、閉位置にある状態（図４（Ａ）参照）から原稿押さえ１４が上方へ回動されると、屈曲部４０Ａ，４０Ｂそれぞれで原稿押さえ１４が山折りに屈曲される。そして、図４（Ｂ）に示されるように、原稿押さえ１４が屈曲された状態で、ＡＤＦ１３の筐体３３の上方に原稿押さえ１４を配置させることができる。これにより、コンタクトガラス２１と筐体３３との間に原稿押さえ１４を収めるスペースを確保する必要がなくなり、装置本体１２を左右方向８にコンパクトにすることができる。また、折りたたまれた原稿押さえ１４によって邪魔されずに、コンタクトガラス２１に原稿を載置することができる。また、図４（Ｃ）に示されるように、屈曲箇所が増えることにより、厚みのある本などの原稿であっても隙間なく覆うことができる。なお、３つ以上の屈曲部４０を原稿押さえ１４に設けても良い。
【００３１】
［第３実施形態］
以下、図５及び図６を参照して、本発明の第３実施形態の画像読取装置１０２を説明する。なお、上述の各実施形態と同じ構成については同符号を付し示すことによりその詳細な説明を省略する。
【００３２】
図５は、画像読取装置１０２の斜視図である。本実施形態が上述の第１実施形態と異なるところは、ＡＤＦ１３が装置本体１２に対して移動可能に構成されている点である。なお、図５においては、回動支持機構３４、原稿押さえ１４、原稿トレイ３２の図示を省略している。
【００３３】
図５に示されるように、画像読取装置１０２は、装置本体１２に対してＡＤＦ１３を移動可能にするための移動支持機構５０（移動支持部の一例）が設けられている。移動支持機構５０は、ＡＤＦ１３の筐体３３をコンタクトガラス２１に対して水平方向に沿って接離する方向（接離方向）へ移動可能に支持するものである。具体的には、移動支持機構５０は、コンタクトガラス２１から左側へ筐体３３をスライド可能に支持する。移動支持機構５０は、筐体３３の底面に形成された一対のレール５１（５１Ａ，５２Ｂ）と、装置本体１２の上面に形成された一対のガイド溝５２（５２Ａ，５２Ｂ）とによって構成されるレール支持機構である。一対のレール５１は、左右方向８に延在しており、筐体３３の底面において前後方向７へ隔てた位置に設けられている。具体的には、レール５１は、筐体３３の底面において前後方向７の両端部それぞれに設けられている。ガイド溝５２は、一対のレール５１それぞれが挿通可能な位置に形成されている。ガイド溝５２の左端部は、装置本体１２の左側面に達している。
【００３４】
このように、画像読取装置１０２に移動支持機構５０が設けられているため、図６に示されるように、ＡＤＦ１３をコンタクトガラス２１から左方へスライド移動させることができる。このため、例えば、屈曲部４０で屈曲されて折りたたまれた原稿押さえ１４を収めるスペースが装置本体１２の上面に無い場合であっても、ＡＤＦ１３を左側へスライド移動させることにより、前記スペースを確保できる。これにより、折りたたまれた原稿押さえ１４によって邪魔されずに、コンタクトガラス２１に原稿を載置することができる。
【００３５】
［第４実施形態］
以下、図７を参照して、本発明の第４実施形態の画像読取装置１０３を説明する。なお、上述の各実施形態と同じ構成については同符号を付し示すことによりその詳細な説明を省略する。
【００３６】
図７は、画像読取装置１０３の左側面図である。本実施形態の画像読取装置１０３は、上述の第３実施形態の画像読取装置１０２の構成に加えて、ＡＤＦ１３の筐体３３を装置本体１２に対して回動可能にするための機構が設けられている点である。具体的は、移動支持機構５０において、後方側に形成されていたガイド溝５２Ａの底面にスリットが形成されており、ガイド溝５２Ａに挿入されるレール５１Ａに、前記スリットに係合する係合部５４が設けられている。レール５１Ａは、その係合部５４がガイド溝５２Ａの底面よりも下方に配置されており、前記スリットを上方へ抜けて装置本体１２の上面に上端が露出している。このため、レール５１Ａは、ガイド溝５２Ａに沿ってスライド可能となるが、係合部５４によって上方への引き抜きが規制される。また、レール５１Ａの上端には、左右方向８に延びる支軸５５が形成されている。筐体３３には、支軸５５に軸支される軸受け５６が形成されている。
【００３７】
画像読取装置１０３においては、上述したようにレール５１Ａ及びガイド溝５２Ａが構成されているため、ＡＤＦ１３の筐体３３がコンタクトガラス２１に対して接離する前記接離方向（左右方向８と一致する方向）へ移動可能に支持され、且つ、支軸５５を回動支点として回動可能に支持される。つまり、画像読取装置１０３では、図７（Ｂ）に示されるように、前記接離方向に平行で、且つ、原稿押さえ１４の回動軸３６に直交する方向を支点として筐体３３を回動させることができる。これにより、装置本体１２の上面の全域を露出することができる。
【００３８】
［第５実施形態］
以下、図８を参照して、本発明の第５実施形態の画像読取装置１０４を説明する。なお、上述の各実施形態と同じ構成については同符号を付し示すことによりその詳細な説明を省略する。
【００３９】
図８は、画像読取装置１０４の正面図である。図８に示されるように、本実施形態が上述の第１実施形態と異なるところは、ＡＤＦ１３の筐体３３が装置本体１２に対して回動可能に構成されている点である。具体的には、装置本体１２の上面における左端部に回動支持機構６０（回動支持部の一例）が設けられている。回動支持機構６０は、装置本体１２の上面における左端部に設けられた回動軸６１を有する。回動軸６１は、前後方向７に延出している。この回動軸６１に筐体３３が回転可能に支持されている。なお、回動支持機構６０は、上述の支持機構に限られず、装置本体１２に対して筐体３３が回動可能な機構であれば、如何なる支持機構であっても適用可能である。
【００４０】
このように構成された画像読取装置１０４であれば、筐体３３を左側へ回動させることにより、折りたたまれた原稿押さえ１４をコンタクトガラス２１から遠ざけることができる。これにより、折りたたまれた原稿押さえ１４によって邪魔されずに、コンタクトガラス２１に原稿を載置することができる。また、装置本体１２の上面の全域を露出することができる。
【符号の説明】
【００４１】
１０、１０１，１０２，１０３，１０４：画像読取装置
１２：装置本体
１３：ＡＤＦ
１４：原稿押さえ
１９：光源ユニット
２１：コンタクトガラス
３２：原稿トレイ
３３：筐体
３４：回動支持機構
４０：屈曲部
【図１】
2015159362.tif 000003
【図２】
2015159362.tif 000004
【図３】
2015159362.tif 000005
【図４】
2015159362.tif 000006
【図５】
2015159362.tif 000007
【図６】
2015159362.tif 000008
【図７】
2015159362.tif 000009
【図８】
2015159362.tif 000010